(57)【要約】【課題】貯湯タンク内に備蓄されている残熱量に係る情報を、ユーザーが必要とするときに自動的に表示させることができる貯湯時給湯器を提供する。【解決手段】貯湯タンクに蓄熱された熱量を給湯等のために使用するとき、その熱量使用の発生を流量センサ５５の検出等により検知し、表示制御部１０４により貯湯タンク内の残熱量をリモコン１０１の表示部に表示する。残熱量は貯湯温度センサ３１〜３５による貯湯タンク内の貯湯温度等に基づいて残熱量演算部１０７で演算し、表示部に通常表示されている情報の一部に代えて残熱量に係る情報に切換表示する制御を貯湯量表示モード部１０６により行う。【選択図】図２
2014167360.tif 000002
【特許請求の範囲】
【請求項１】
貯湯タンクと、動作時に貯湯タンク内の湯水を加熱することにより貯湯タンクへの蓄熱を行う加熱手段と、給湯に係る情報を表示するための表示部とを備えた貯湯式給湯器において、
前記貯湯タンクに蓄熱されている残熱量を計測する残熱量計測手段と、前記貯湯タンク内に蓄熱された熱量の使用を検知する熱量使用検知部と、この熱量使用検知部により熱量使用の発生が検知されたとき前記残熱量計測手段により計測された残熱量に係る情報を前記表示部に表示するように表示切換するための制御を実行する表示制御部とを備えている、
ことを特徴とする貯湯式給湯器。
【請求項２】
請求項１に記載の貯湯式給湯器において、
前記表示制御部は、前記熱量使用検知部により熱量使用の発生が検知されたとき、前記表示部に対し、給湯に係る情報を表示する通常表示と、前記残熱量に係る情報を表示する貯湯量表示とを交互に切換表示するように構成されている、貯湯式給湯器。
【請求項３】
請求項１又は請求項２に記載の貯湯式給湯器において、
前記表示制御部は、前記熱量使用検知部により熱量使用の発生が検知されたとき、前記残熱量に係る情報を表示部の一部領域に表示する一方、前記表示部の他の領域には残熱量に係る情報以外の情報を併せて表示するように構成されている、貯湯式給湯器。
【発明の詳細な説明】
【技術分野】
【０００１】
本発明は、貯湯式給湯器に関し、特に、貯湯タンク内にある備蓄熱量の残量がどの程度かの情報を、ユーザーの必要時に自動的に報知し得る表示部を備えた貯湯式給湯器に係る。
【背景技術】
【０００２】
従来、特許文献１では、燃料電池やガスエンジン等の発電機の排熱を回収することにより貯湯する貯湯タンクを備えたコージェネレーションシステムにおいて、そのリモコンの表示部に対し、貯湯タンクの貯湯量を表示してから所定時間経過後に、発電機の発電に関する情報を表示することが提案されている。
【先行技術文献】
【特許文献】
【０００３】
【特許文献１】特開２００８−８９２４９号公報
【発明の概要】
【発明が解決しようとする課題】
【０００４】
ところで、貯湯式給湯器の場合、現在設定されている運転モード、給湯のために現在設定されている温度、追いだき用に現在設定されているふろの温度、あるいは、貯湯タンク内にある現在使用可能な貯湯量等々の各種の情報は、これらを報知した方がユーザーにとって便宜になると考えられる。しかしながら、報知するために用いることができるリモコンの表示部は、その表示面積に限りがあり、あまり多くの情報を表示することはできない。表示する文字等のサイズを小さくすることも考えられるが、多種多様な多くの情報を同じ表示部に同時に表示すると見難くなってしまい、視認性が低下する。その一方、例えば給湯の設定温度については、ユーザーにとって最も認識しておきたい重要な情報であり、より大きく表示して一目で把握し得るようにすることが求められる。そして、貯湯量に関する情報、中でも貯湯タンク内に残っている現在使用可能な熱量（残熱量）については給湯用の設定温度に次いで重要な情報と考えられるものの、給湯用の設定温度と異なりユーザーにとって常に必要な情報であるとは限らない。又、表示部への表示情報を切換えることにより、より多くの情報を報知可能にすることも考えられる。ところが、多種の表示情報毎に専用の切換スイッチを設けることは現実的ではなく、又、順次切換方式にすると知りたい情報の表示画面に至るまで多数回の切換え操作が必要になるなどの煩雑な作業をユーザーに強いることになる。
【０００５】
本発明は、このような事情に鑑みてなされたものであり、その目的とするところは、貯湯タンク内に備蓄されている残熱量に係る情報を、ユーザーが必要とするときに自動的に表示させることができる貯湯時給湯器を提供することにある。
【課題を解決するための手段】
【０００６】
上記目的を達成するために、本発明では、貯湯タンクと、動作時に貯湯タンク内の湯水を加熱することにより貯湯タンクへの蓄熱を行う加熱手段と、給湯に係る情報を表示するための表示部とを備えた貯湯式給湯器を対象にして、次の特定事項を備えることとした。すなわち、前記貯湯タンクに蓄熱されている残熱量を計測する残熱量計測手段と、前記貯湯タンク内に蓄熱された熱量の使用を検知する熱量使用検知部と、この熱量使用検知部により熱量使用の発生が検知されたとき前記残熱量計測手段により計測された残熱量に係る情報を前記表示部に表示するように表示切換するための制御を実行する表示制御部とを備えることとした（請求項１）。
【０００７】
本発明の場合、貯湯タンク内の熱量の使用がなければ、表示部には給湯に係る情報が表示される一方、給湯使用等の熱量使用をユーザーが行えば、その熱量使用が熱量使用検知部により検知されて、表示制御部によって表示部の表示が残熱量に係る情報に表示切換されることになる。これにより、ユーザーは例えば専用スイッチの操作等、自ら操作を行うことなく、熱量使用の際には現時点での貯湯タンク内の残熱量がどの程度かを把握することが可能になる。このため、ユーザーは安心して熱量使用を行うことができるなど、熱量使用に際しての使い勝手の良さを向上させ得ることになる。
【０００８】
前記発明の貯湯式給湯器において、表示制御部として、熱量使用検知部により熱量使用の発生が検知されたとき、表示部に対し、給湯に係る情報を表示する通常表示と、残熱量に係る情報を表示する貯湯量表示とを交互に切換表示する構成とすることができる（請求項２）。例えば所定時間間隔で切換表示を交互に繰り返すようにすることにより、たとえ残熱量に係る情報への表示切換が実行されたとしても、それまでに表示されていた給湯に係る情報等の他の情報についても、ほぼ同時にかつ容易に把握し得るようになる。
【０００９】
又、前記発明の貯湯式給湯器において、表示制御部として、熱量使用検知部により熱量使用の発生が検知されたとき、残熱量に係る情報を表示部の一部領域に表示する一方、その表示部の他の領域には残熱量に係る情報以外の情報を併せて表示する構成とすることができる（請求項３）。このようにすることにより、たとえ残熱量に係る情報への表示切換が実行されたとしても、残熱量に係る情報以外の情報についても、同時にアクセス可能となって把握し得るようになる。
【発明の効果】
【００１０】
以上、説明したように、本発明の貯湯式給湯器によれば、貯湯タンク内の熱量の使用がなければ、表示部には給湯に係る情報が表示される一方、給湯使用等の熱量使用をユーザーが行えば、その熱量使用を熱量使用検知部により検知して、表示制御部によって表示部の表示を残熱量に係る情報に表示切換することができるようになる。これにより、ユーザーは例えば専用スイッチの操作等、自ら操作を行うことなく、熱量使用の際には現時点での貯湯タンク内の残熱量がどの程度かを把握することができ、ユーザーは安心して熱量使用を行うことができるなど、熱量使用に際しての使い勝手の良さを向上させることができる。
【００１１】
特に請求項２の貯湯式給湯器によれば、表示制御部として、熱量使用検知部により熱量使用の発生が検知されたとき、表示部に対し、給湯に係る情報を表示する通常表示と、残熱量に係る情報を表示する貯湯量表示とを交互に切換表示する構成とすることにより、たとえ残熱量に係る情報への表示切換が実行されたとしても、それまでに表示されていた給湯に係る情報等の他の情報についても、ほぼ同時にかつ容易に把握することができるようになる。
【００１２】
又、請求項３の貯湯式給湯器によれば、表示制御部として、熱量使用検知部により熱量使用の発生が検知されたとき、残熱量に係る情報を表示部の一部領域に表示する一方、その表示部の他の領域には残熱量に係る情報以外の情報を併せて表示する構成とすることにより、たとえ残熱量に係る情報への表示切換が実行されたとしても、残熱量に係る情報以外の情報についても、同時にアクセス可能となって把握することができるようになる。
【図面の簡単な説明】
【００１３】
【図１】本発明の実施形態に係る貯湯式給湯器の模式図である。
【図２】リモコンの表示部に対する自動表示制御に係る制御ブロック図である。
【図３】図３（ａ）は通常表示の例を示すリモコンの正面図であり、図３（ｂ）は貯湯タンクの残熱量表示に切換えられた例を示すリモコンの図３（ａ）対応図である。
【発明を実施するための形態】
【００１４】
以下、本発明の実施形態を図面に基づいて説明する。
【００１５】
図１は、本発明の一実施形態に係る貯湯式給湯器を示している。この貯湯式給湯器は、加熱手段としてのヒートポンプ作動系２と、貯湯タンク３と、外部から水道水等を貯湯タンク３等に給水するための給水路４と、貯湯タンク３からの貯湯を用いて給湯栓７等に給湯する給湯路５と、給湯路５からの湯を暖房熱源とする暖房回路８と、同様に給湯路５からの湯を追い焚き熱源とする風呂追い焚き回路９と、この貯湯式給湯器の作動制御を行うコントローラ１０とを備えている。図１には、給湯栓７として１つのみ図示するが、この給湯栓７は代表例として図示したに過ぎず、実際には洗い物等の用途の台所給湯栓や，洗面等の用途の洗面所給湯栓等，及び、シャワーのためのシャワー水栓等を表している。
【００１６】
ヒートポンプ作動系２は、主熱源としてのヒートポンプ２１の排熱との熱交換加熱により貯湯タンク３内の湯水を所定温度まで加熱昇温させて貯湯タンク３に蓄熱するためのものである。このヒートポンプ作動系２は、前記ヒートポンプ２１と、循環ポンプ２２と、沸き上げ切換弁２３と、入側温度センサ２４と、出側温度センサ２５とからなる。そして、コントローラ１０による制御による動作時に、例えば、ヒートポンプ２１の凝縮用熱交換器（図示せず）において高温状態の冷媒と、循環ポンプ２２により貯湯タンク３の底部から供給された水とを熱交換させることで、水が熱交換加熱され、所定の沸き上げ温度（例えば８０℃）まで加熱された湯が貯湯タンク３の頂部に戻されて貯湯タンク３内で温度成層を形成して蓄熱されることになる。この際、入側温度センサ２４による貯湯タンク３の底部からの湯水温度と、出側温度センサ２５による熱交換加熱後の湯水温度との差温の情報、ヒートポンプ２１側の冷媒温度や、沸き上げ切換弁２３によるヒートポンプ２１側への通過流量の調整等に基づき、貯湯タンク３の頂部に戻される熱交換加熱後の湯水温度が所定の沸き上げ温度になるよう運転制御されることになる。
【００１７】
貯湯タンク３は、密閉式で外部との断熱構造を有しており、貯湯タンク３の上下方向の所定の各位置には、上下方向各所定位置での内部の貯湯温度を検出する貯湯温度センサ３１，３２，３３，３４，３５が設置されている。これら各貯湯温度センサ３１〜３５の検出貯湯温度に基づいて、貯湯タンク３内に貯湯として蓄熱された熱量（残熱量）を把握することができる。すなわち、隣接する貯湯温度センサ３１〜３５間の略円柱状の領域毎に容量値が予め設定されており、この各設定容量値に対し、対応する位置の貯湯温度センサ３１〜３５の検出貯湯温度を乗じることにより、領域毎の熱量を演算することができる。この場合、貯湯タンク３内は前記の如く頂部側の各領域に後述の給湯等の熱量使用に供される高温湯が貯湯され、底部側の各領域には熱量使用には適さない低温湯が貯湯されるという温度成層が形成されるため、熱量使用に供することが可能な所定温度以上の貯湯温度が検出された領域の熱量の合計をもって、後述の貯湯量表示における残熱量とすることができる。このような残熱量の演算が後述の表示制御部１０４（図２参照）において行われる。なお、前記の容量値の設定に代えて、略円柱状の領域毎の平均断面積と上下方向の間隔（高さ）を予め設定することができる。そして、貯湯タンク３としては、１日分の全ての使用湯量を貯湯し得る比較的大容量（例えば３５０Ｌ〜５００Ｌ）のものの他に、１日の所定の時間帯毎の使用予定の湯を使用時間の直前までにその都度沸き上げるように制御することで比較的小容量のもの、例えば９０Ｌ程度の小容量のものを使用することができる。
【００１８】
給水回路４は、主給水路４１の上流端が外部の上水道等に接続され、下流端が逆止弁４２を介して貯湯タンク３の底部に接続されている。主給水路４１の上流側から逆止弁４３を介して分岐した混水用給水路４４が給湯路５の後述の混合弁５４に対し給水可能に接続されている。図１の符号４５は給水路４により給水される水の温度を検出する給水温度センサである。
【００１９】
給湯回路５は、貯湯タンク３の頂部から貯湯が給湯路５１に出湯され、この給湯路５１を通して混合弁５４に貯湯を供給し得るようになっている。給湯路５１には、貯湯タンク３から出湯された直後の湯の温度（貯湯タンク３内の頂部温度）を検出するための頂部温度センサ５２と、停電等の発生時に大気開放する安全弁５３とが介装されている。又、給湯路５１には、流量センサ５５及び流量調整弁５６が介装される他、混合弁５４による混合後の最終的に給湯される湯の給湯温度を検出する給湯温度センサ５７が介装されている。なお、図１中の符号５８は、機器異常の発生等に起因する高温水の給湯を阻止して回避するために開作動されて混水用給水路４４からの水を供給するための高温出湯回避弁である。
【００２０】
暖房回路８は、暖房循環路８１内の暖房用の循環熱媒を熱交換器８２で液−液熱交換により加熱し、加熱した循環熱媒を高温暖房端末（例えば浴室乾燥機）８３や、低温暖房端末（例えば床暖房）８４に対し循環供給するようになっている。そして、上記の熱交換器８２での液−液熱交換の加熱源（暖房熱源）として、貯湯タンク３の頂部からの湯が、熱交換器８２の熱源側に循環供給されるようになっている。すなわち、開閉電磁弁８６を開にして循環ポンプ８９を作動することにより、貯湯タンク３の頂部からの湯が、給湯路５１の分岐点８０から分岐した熱源供給路８５を通して熱交換器８２に対し暖房用熱源として供給され、液−液熱交換により温度低下した湯が開状態の開閉電磁弁８６を経て、貯湯タンク３の底部に戻されるというように循環されることになる。又、熱交換器８２での液−液熱交換により加熱された循環熱媒は、高温暖房端末８３又は低温暖房端末８４に供給されて放熱された後、膨張タンク８７及び暖房ポンプ８８を経て上記熱交換器８２に戻されて再加熱されることになる。
【００２１】
風呂追い焚き回路９は、追い焚きポンプ９１を作動させることにより浴槽９２内の湯水を追い焚き循環路９３を通して熱交換器９４との間で循環させ、この熱交換器９４での液−液熱交換により追い焚き加熱するようになっている。熱交換器９４の熱源側には、暖房回路８と同様に、開閉電磁弁９６を開にして循環ポンプ８９を作動することにより、貯湯タンク３の頂部からの湯が、分岐点９０から分岐された熱源供給路９５を通して追い焚き用の加熱源として循環供給され、熱交換器９４での液−液熱交換により温度低下した湯が開閉電磁弁９６を経て、貯湯タンク３の底部に戻されるというように循環されることになる。上記追い焚き循環路９３には、混合弁５４で温調された後の湯水を給湯路５１から分流させるための注湯路９７が接続されており、この注湯路９７を介して温調された後の湯水が浴槽９２に供給され、湯張りを行うことができるようになっている。注湯路９７には電磁開閉弁からなるふろ落とし込み弁９８が設けられ、ふろ落とし込み弁９８の開弁によって貯湯タンク３から浴槽９２に対し注湯可能となっている。
【００２２】
以上のヒートポンプ作動系２や、各回路５，８，９による熱量使用運転は、リモコン１０１に対しユーザーの操作によって給湯栓７及び浴槽９２への給湯温度として設定された設定温度等の入力設定信号の出力、後述の各種運転スイッチの操作信号の出力や、種々の温度センサ２４，２５，３１〜３５，４５，５２，５７等からの検出信号の出力を受けて、コントローラ１０により運転制御されるようになっている。コントローラ１０は、ＣＰＵや書き換え可能メモリを備えるマイコンによって主構成されており、メモリに記憶されたプログラム及び各種データに基づいて、沸き上げ運転制御部１０２（図２参照）による貯湯タンク３への蓄熱動作制御、熱量使用運転制御部１０３による給湯制御などの熱量使用運転制御や、表示制御部１０４によるリモコン１０１への各種情報の表示制御を行うようになっている。なお、表示制御部１０４は、コントローラ１０の側ではなくて、リモコン１０１の側に設けるようにすることもできる。
【００２３】
リモコン１０１は、ユーザーの操作によって給湯栓７及び浴槽９２への給湯温度を設定可能もしくは予め設定されている給湯温度を変更設定可能に構成されている。かかるリモコン１０１としては、図３（ａ）に例示するように、例えばＬＣＤ等により構成された表示部１１０の他に、各種操作スイッチ（運転スイッチ１２１，エコモード切換え用のエコスイッチ１２２，ふろ自動スイッチ１２３，追いだきスイッチ１２４，暖房スイッチ１２５）や、スピーカ１２６等を備えて構成することができる。ここで、図１や図２においてリモコン１０１は１つのみ示しているが、リモコン１０１としては台所リモコン，浴室リモコン，暖房リモコンなど２種以上のリモコンを設けることができ、これらを代表して図示したものである。従って、表示制御部１０４による表示制御を、ある特定箇所（例えばユーザーによる入力操作があったリモコン）のリモコンを対象にしたり、あるいは、全ての箇所のリモコンを対象にしたりして実行することができる。
【００２４】
前記の蓄熱動作制御や給湯制御などの制御内容としては、従来公知の種々のものを採用できる。例えば、沸き上げ運転制御部１０２が実行するヒートポンプ作動系２による貯湯タンク３内の湯水の沸き上げ動作（蓄熱動作）としては、学習に基づき更新設定された所定時間毎の使用予定湯量について、その使用予定開始時刻の直前（例えば１０分〜２０分前）までに沸き上げ完了（蓄熱完了）するように、その都度、動作制御することができる。これにより、放熱ロスを可及的に抑えて効率向上を図ると共に、貯湯タンク３のコンパクト化、ひいては装置全体のコンパクト化を図ることができる。あるいは、学習に基づき更新設定された１日毎の熱使用実績に基づいて、翌日の予測使用熱量分について、深夜電力として安価に設定されている時間帯（例えば午後１１時〜午前７時）に沸き上げ運転（夜蓄）するように、蓄熱動作制御することができる。これにより、安価な深夜電力を活用して事前に蓄熱完了せることができる。
【００２５】
又、給湯制御は、例えば、給湯栓７がユーザーにより開かれて流量センサ５５により検出される流量が最低作動流量（ＭＯＱ）以上になれば給湯回路５による給湯運転制御を開始し、給湯温度として設定されている設定温度を最終給湯温度の目標温度として、給湯温度センサ５６や給水温度センサ４５等の検出値に基づいて混合弁５４における湯と水との混合割合を制御することができる。暖房回路８による暖房運転制御は、例えば、リモコン１０１の暖房スイッチ１２５がユーザーによりＯＮ操作されると開始され、開閉電磁弁８６を開にして循環ポンプ８９を作動することにより、貯湯タンク３の頂部から湯を給湯路５１及び熱源供給路８５を通して熱交換器８２に暖房用熱源として供給する一方、暖房循環路８１の側では暖房ポンプ８８を作動させて、熱交換器８２で液−液熱交換加熱された循環熱媒を、高温暖房端末８３又は低温暖房端末８４に供給する。
【００２６】
さらに、リモコン１０１のふろ自動スイッチ１２３がユーザーによりＯＮ操作されると、まず、ふろ落とし込み弁９８を開にして湯張り制御を開始し、混合弁５４で所定温度に温調した後の湯を、注湯路９７を介して浴槽９２に供給して所定水位まで湯張りする。次いで、湯張りが完了すれば、開閉電磁弁９６を開にして循環ポンプ８９を作動することにより追い焚き運転制御を開始する。これにより、貯湯タンク３の頂部から湯を給湯路５１及び熱源供給路９５を通して熱交換器９４に追いだき用加熱源として供給する一方、追い焚き循環路９３の側では追い焚きポンプ９１を作動させて、浴槽９２内からの湯水を熱交換器９４で液−液熱交換加熱した後に，浴槽９２に戻して所定のふろの設定温度まで追い焚き加熱される。なお、この追い焚き運転制御は、リモコン１０１のフロ自動スイッチ１２３のＯＮ操作の他に、追いだきスイッチ１２４をＯＮ操作されたときにも実行される。以上の給湯制御、暖房運転制御、湯張り制御、又は、追い焚き制御は、いずれも貯湯タンク３内の熱量を使用して運転動作を行うものであり、本実施形態では、これらの熱量使用をトリガーとして表示制御部１０４での表示切換が実行されるようになっている。従って、熱量使用の発生を検出する熱量使用検知部を、流量センサ５５，暖房スイッチ１２５，ふろ自動スイッチ１２３，又は，追いだきスイッチ１２４によって構成することができ、流量センサ５５によるＭＯＱ以上の流量の検出、暖房スイッチ１２５のＯＮ操作信号の出力、ふろ自動スイッチ１２３のＯＮ操作信号の出力、あるいは、追いだきスイッチ１２４のＯＮ操作信号の出力によって、熱量使用の発生を検知することができる。
【００２７】
表示制御部１０４は、リモコン１０１の表示部１１０に対し各種情報を表示する通常表示モード部１０５と、貯湯タンク３内の熱量使用時等の所定タイミングにおいて通常表示モードから表示切換して貯湯タンク３内の残熱量（貯湯量）を表示する貯湯量表示モード部１０６との２種類の制御モード部を備えている。通常表示モード部１０５は、リモコン１０１の表示部１１０に対し、給湯用の設定温度やふろ用の設定温度に加え、現状の運転状態に係る情報を表示するという通常表示を行う。例えば、図３（ａ）に示すように、表示部１１０の中央領域１１１に対し「給湯」という文字と共に給湯用に設定されている設定温度の値（図例では４１℃）を一目で視認できる程度の大きなサイズの数字で表示し、右側領域１１２に「ふろ」という文字と共にふろ用に設定されている設定温度（図例では４０℃）を給湯用の設定温度よりも小さいサイズの数字で表示し、左側領域１１３に現時点でユーザーが設定している運転モードを表す文字（図例ではエコスイッチ１２２のＯＮ操作に基づき選択設定されているエコモードを表す「エコ」の文字）を表示する。
【００２８】
一方、貯湯量表示モード部１０６は、貯湯温度センサ３１〜３５による検出温度に基づき貯湯タンク３内の残熱量の演算を行う残熱量演算部１０７やタイマを備え、前記の流量センサ５５や各種スイッチ１２３〜１２５からの出力に基づき熱量使用の発生を検知したとき、並びに、残熱量の演算による残熱量が所定の最小残熱量まで低下したことを検出したときに、表示部１１０に対する表示を通常表示モード部１０５による通常表示から貯湯量表示に切換える。貯湯量表示とは、その時点で使用可能な貯湯タンク３の残熱量を表示することであり、具体的な熱量演算値や割合を数字で表示したり、図表等のグラフにより表示したりすることができる。例えば、図３（ｂ）に示すように、表示部１１０において運転モードを表示していた左側領域１１３に運転モードの表示に代えて図案化した貯湯量表示１３０を表示することができる。具体的には、貯湯量表示１３０として、貯湯タンクの図形と，内部の残熱量を貯湯温度センサ３１〜３５の数に対応した段階数（５段階）の塗り図形とにより一目で把握できるようにすることができる。なお、前記の貯湯温度センサ３１〜３５や、残熱量演算部１０７によって、貯湯タンク３内の残熱量を計測する残熱量計測手段が構成される。
【００２９】
この貯湯量表示モード部１０６による貯湯量表示１３０は、給湯使用等の熱量使用が終了するまで継続させ、その熱量使用の終了をもって、元の通常表示モード部１０５による通常表示に戻すようにすることもできる。本実施形態では、貯湯量表示１３０を前記の熱量使用の発生検知時点から一定時間が経過するまで継続し、タイマ・カウントにより一定時間が経過すれば熱量使用の終了を待たずに元の通常表示モード部１０５による通常表示に戻すようにしている。ユーザーにとっては、給湯使用等の熱量使用を行う際に貯湯タンク３の残熱量を把握することができればその時点での残熱量の状況を把握することができ安心して熱量使用を行うことができる一方、残熱量の状況の把握は熱量使用を行う際に得られればその目的を達成することができ、以後は通常表示による運転モード等の情報を認識することができる方がより便宜であり使い勝手が良いと考えられる。
【００３０】
以上の表示制御によれば、貯湯タンク３内の湯（熱量）の使用がなければ、リモコン１０１の表示部１１０には通常表示モード部１０５による通常表示が行われる一方、給湯使用等の熱量使用をユーザーが行えば、その熱量使用を検知して表示部１１０の通常表示が貯湯表示モード部１０６による貯湯量表示に自動的に切換えられる。これにより、ユーザーは自ら操作（例えば貯湯量表示をさせるための専用のスイッチ操作）することなく、熱量使用の際には現時点での貯湯タンク３内の残熱量がどの程度かを把握することができる。その一方、貯湯量表示に切り替わったとしても、表示部１１０の一部領域を用いて貯湯量表示が行われるだけで、他の領域１１１，１１２は重要な給湯用の設定温度等の情報が表示された状態に維持することができる。その上に、一定時間経過後は、元の通常表示に復帰するようにしているため、必要なときにだけ貯湯量表示を自動的に表示させることができる。なお、貯湯量表示モード部１０６による貯湯量表示の際には、前記の貯湯量表示１３０に加えて、リモコン１０１のスピーカ１２６による音声報知も併せて行うことができる。この場合、ユーザーに対する案内報知をより確実に行うことができるようになる。さらに、
【００３１】
＜他の実施形態＞
本発明は、前記実施形態に限定されるものではなく、その他種々の実施形態を包含するものである。例えば、リモコン１０１に設定切換スイッチや、コントローラ１０にＤｉｐスイッチを設け、これらスイッチの切換操作により、前記の表示制御部１０４の貯湯量表示モード部１０６による表示切換制御をキャンセルするようにすることができる。これにより、ユーザーの都合や事情に応じて表示を如何にするかを設定することができる。又、貯湯量表示モード部１０６による貯湯量表示に切換えた場合に、湯量表示モード部１０６による貯湯量表示が終了するまでの間、貯湯量表示と通常表示モード部１０５による通常表示とを所定時間間隔で交互に切換えるようにすることができる。つまり、貯湯量表示モード部１０６による貯湯量表示制御として、図３（ｂ）に例示する貯湯量表示１３０と、図３（ａ）に例示する左側領域１１３への通常表示とを所定の短時間（例えば数秒間）毎に交互切換表示するという制御を採用することができる。又、表示部としては、リモコン１０１の表示部１１０に限らず、状態表示用のモニタにより構成することもできる。
【００３２】
加熱手段としては、ヒートポンプに代えて電力効率は劣るが電熱器を採用することも可能である。又、加熱手段としては、ヒートポンプに代えて燃料電池やガスエンジン等の排熱と熱交換加熱することにより加熱するものを採用することもできる。さらに、給湯回路５として、貯湯タンク３の頂部から貯湯がそのまま直接に出湯される経路と、瞬間加熱式の燃焼給湯器（バックアップ熱源機）を経由して補助加熱された後の湯が出湯される経路との双方を備える構成としてもよい。この場合、暖房回路８や追い焚き回路９への加熱源供給は、前記のバックアップ熱源機を経由した経路から分流させる構成とすることができる。
【符号の説明】
【００３３】
２      ヒートポンプ作動系（加熱手段）
３      貯湯タンク
３１〜３５  貯湯温度センサ（残熱量計測手段）
５５    流量センサ（熱量使用検知部）
１１０  表示部
１０４  表示制御部
１０５  通常表示モード部
１０６  貯湯量表示モード部
１０７  残熱量演算部（残熱量計測手段）
１２３  ふろ自動スイッチ（熱量使用検知部）
１２４  追いだきスイッチ（熱量使用検知部）
１２５  暖房スイッチ（熱量使用検知部）
１３０  貯湯量表示
【図１】
2014167360.tif 000003
【図２】
2014167360.tif 000004
【図３】
2014167360.tif 000005